(57)【特許請求の範囲】
【請求項１】
チップ本体の外周に、最初に装着された配列から配列方向の順番が入れ替えられた、射出スリーブの内径とほぼ同じ外径を有する複数個の摺接用外筒が装着されていることを特徴とするダイカスト用プランジャチップ。
【請求項２】
前記摺接用外筒が、１個の幅広摺接用外筒と２個の幅狭摺接用外筒とからなり、上記幅広摺接用外筒の左右に幅狭の摺接用外筒を配置した請求項１記載のダイカスト用プランジャチップ。
【発明の詳細な説明】
【０００１】
【発明の属する技術分野】
本発明は、ダイカスト鋳造において、射出スリーブ内に注湯された溶湯を金型のキャビティヘ射出するためのプランジャチップに関するものである。
【０００２】
【従来の技術】
この種のプランジャチップは、射出スリーブの内周面に常時摺接しているため、射出動作に伴ってその外周面が次第に摩耗するのは避けられないが、実際問題として、外周面全体が均等に摩耗するのではなく一部が摩耗（これを片減りと称する。）して使用不可になることが多い。
加えて、従来のダイカスト用プランジャチップでは、通常全体が一体的に構成されていたため、片減り（部分的摩耗）すると全体を交換しなければならなず、不経済であった。
【０００３】
この様な不具合を解消するべく、チップ本体の外周に射出スリーブの内径とほぼ同じ外径を有する摺接用外筒を回動自在に装着せしめたダイカスト用プランジャチップが提案された（実公平３−２１８１４号公報参照）。しかしこのプランジャチップの場合も、摺接用外筒の外周が片減りをするのは避けられず、片減りすれば摺接用外筒全体を交換しなければならなかった。
【０００４】
【発明が解決しようとする課題】
本発明はこのような従来の不具合に鑑みてなされたものであり、チップ本体の外周に射出スリーブの内径とほぼ同じ外径を有する摺接用外筒を装着せしめたダイカスト用プランジャチップにおいて、摺接用外筒が片減りしても摺接用外筒の全体を交換せずとも済み、且つ同じ摺接用外筒を長期にわたって使用することが可能なダイカスト用プランジャチップを提供せんとするものである。
【０００５】
【課題を解決するための手段】
斯かる目的を達成する本発明の請求項１記載のダイカスト用プランジャチップは、チップ本体の外周に、最初に装着された配列から配列方向の順番が入れ替えられた、射出スリーブの内径とほぼ同じ外径を有する複数個の摺接用外筒が装着されていることを特徴としたものである。
また、請求項２記載のダイカスト用プランジャチップは、前記摺接用外筒が、１個の幅広摺接用外筒と２個の幅狭摺接用外筒とからなり、上記幅広摺接用外筒の左右に幅狭の摺接用外筒を配置した事を特徴としたものである。
【０００６】
【発明の実施の形態】
以下、本発明の具体的な好適実施例を図面に基づいて詳細に説明するが、本発明は図示実施例のものに限定されるものではなく、いろいろなバリエーションが考えられる。
【０００７】
本発明に係るダイカスト用プランジャチップＡは、基本的に、チップ本体１と複数個の摺接用外筒２ａ，２ｂ，２ｃとで構成され、従来と同様に射出ロッド３の先端部３１にカップリング４を介して分離可能に取付けられ、ダイカスト機の射出スリーブ５内に射出動作が可能なように設置される。
【０００８】
チップ本体１は、先端方が閉塞され内部に冷却水室１１を有する略円柱形状に形成されると共に、先端方の外周縁に摺接用外筒２を抜け止めするための係止用鍔１２を周方向に囲繞突出形成し、係止用鍔１２とは反対側の基端方に、射出ロッド３の先端部３１にカップリング４を介して分離可能に連結され射出ロッド３の内部に形成された冷却水通路３２と上記冷却水室１１とを連通させるための連結部１３を軸方向に突出形成してなる。
尚、上記係止用鍔１２は、射出スリーブ５の内周面と摺接しないように、射出スリーブ５の内径よりも少し小径に形成することが好ましい。
【０００９】
そして、このチップ本体１の外周には、射出スリーブ５の内周面と直接摺接する複数個の摺接用外筒２ａ，２ｂ，２ｃをチップ本体１に対して分離可能に且つ入れ替え自由に装着せしめる。
【００１０】
各摺接用外筒２ａ，２ｂ，２ｃは、射出スリーブ５の内周面と適切に摺接し得るように、すなわち射出動作時に射出スリーブ５内周面との間に溶湯が差し込まないように、射出スリーブ５の内径とほぼ同じ外径を有し且つチップ本体１の外径とほぼ同じ内径を有する略円筒形状に形成してなり、それぞれチップ本体１の外周に分離可能に且つ入れ替え自由に嵌挿装着せしめる。
【００１１】
この際、チップ本体１の外周に装着する摺接用外筒２ａ，２ｂ，２ｃの個数や各摺接用外筒２ａ，２ｂ，２ｃの幅に格別制限があるわけではないが、複数個の摺接用外筒２ａ，２ｂ，２ｃをチップ本体１の外周に嵌挿装着した時に、チップ本体１の外周部分に丁度納まる幅にそれぞれ形成する。ちなみに、図示実施例にあっては、３個の摺接用外筒２ａ，２ｂ，２ｃをチップ本体１の外周に装着するようになし、そのうち１個（摺接用外筒２ｂ）を他の摺接用外筒２ａ，２ｃより少し幅広く形成し、幅広摺接用外筒２ｂの左右に幅狭の摺接用外筒２ａ，２ｃを配置したものである。
【００１２】
而して、本プランジャチップＡの使用に際しては、チップ本体１の外周に複数個（図示実施例にあっては、３個）の摺接用外筒２ａ，２ｂ，２ｃを分離可能且つ入れ替え自由に嵌挿装着せしめ、チップ本体１の先端方に囲繞突設した係止用鍔１２と押さえリング６とでガタつかないように押さえ込み、然る後に、チップ本体１の連結部１３と射出ロッド３の先端部３１とをカップリング４でもって一体的に連結させる。すると、本プランジャチップＡが射出ロッド３の先端部３１に一体的に取付けられ、射出ロッド３の内部に形成された冷却水通路３２とチップ本体１の冷却水室１１が連通する。尚、図中の符号７は、冷却水の漏れを防ぐためのＯ−リングを示す。
【００１３】
そして、射出動作に伴って各摺接用外筒２ａ，２ｂ，２ｃの外周面が片減りしたら（多くの場合、図１の符号（ｘ）で示す部分が片減りしやすい。）、上記取付け時と逆の手順により、各摺接用外筒２ａ，２ｂ，２ｃを一旦チップ本体１から取り外して、入れ替え、再装着する。
ここで、各摺接用外筒２ａ，２ｂ，２ｃを入れ替えるとは、それらの配列の順番を入れ替えることだけではなく、入れ替える前の状態から１８０°回転させてチップ本体１の外周に再装着することも含むものである。即ち、図１において、例えば、左端の幅狭摺接用外筒２ａの（ｘ）の部分が片減りした場合に、全部の摺接用外筒２ａ，２ｂ，２ｃを一旦チップ本体１から取り外し、それらの配列の順番を２ａ，２ｂ，２ｃから例えば２ｃ，２ｂ，２ａの順に入れ替えて再装着したり、または片減りした（ｘ）の部分が（ｙ）の場所に移動するように片減りした摺接用外筒２ａを軸方向と直交する方向に１８０°回転移動させてチップ本体１の外周に再装着したり、或いはこれらを組み合わせて入れ替えることを含むものである。この際、各摺接用外筒２ａ，２ｂ，２ｃを入れ替えるだけでなく、更に周方向に適宜な角度に回動させるようにしても良い。
【００１４】
【発明の効果】
本発明の請求項１に係るダイカスト用プランジャチップは斯様に、チップ本体の外周に、最初に装着された配列から配列方向の順番が入れ替えられた、射出スリーブの内径とほぼ同じ外径を有する複数個の摺接用外筒が装着されているので、一部の摺接用外筒が片減りしたような場合に、片減りした摺接用外筒の配列の順番を入れ替えてチップ本体１の外周に再装着されているので、片減りした部分を他の場所（位置）移動させた状態とすることができ、従って片減りした摺接用外筒を射出（鋳造）に悪影響を及ぼすことなく長期にわたって使用することが可能となり、一層のコストの低減化を期することが可能となる。
【００１６】
更に、本発明請求項２に係るダイカスト用プランジャチップによれば、摺接用外筒を、１個の幅広摺接用外筒と２個の幅狭摺接用外筒とで構成し、プランジャチップの中央にあってほとんど片減りしない場所に幅広の摺接用外筒を配置し、その幅広摺接用外筒の左右にプランジャチップの射出方向先端寄りにあって比較的片減りしやすい場所に幅狭の摺接用外筒を配置してなるので、幅狭の摺接用外筒が片減りして別の摺接用外筒と交換する必要が生じた場合でも、幅広の摺接用外筒よりも材料費（コスト）が安い幅狭の摺接用外筒を交換するだけで済み、更なるコストの低減化を期することが可能なる。
【図面の簡単な説明】
【図１】  本発明実施の一例を示す一部切欠正面図。
【図２】  同分解正面図。
【符号の説明】
Ａ：プランジャチップ
１：チップ本体                  １１：冷却水室
１２：係止用鍔
２ａ，２ｂ，２ｃ：摺接用外筒
３：射出ロッド                    ４：カップリング
５：射出スリーブ                  ６：押さえリング
７：Ｏ−リング
【図１】
0004790921.tif 000002
【図２】
0004790921.tif 000003